(57)【要約】  本発明は、梯子平衡保持装置に関するものであって、棒を挿入可能な貫通孔が形成され、梯子の縦フレームに垂直方向に固定される上部案内板及び下部案内板と、前記上部案内板及び下部案内板を梯子の縦フレーム側に具設する垂直板に設けられ、前記上部案内板及び下部案内板と同方向に突出するラッチと、前記上部案内板及び下部案内板の貫通孔に梯子の長手方向に自重によって摺動自在に結合された棒と、前記棒より直径の大きい遊孔が形成された板状を呈し、前記下部案内板及びラッチの間に配置された後、前記遊孔に前記棒が挿入され、端部が前記ラッチの下部まで延長して前記梯子とともに前記ラッチが下方に力を受けると、ラッチの下面に押さえられて前記棒を中心軸として傾斜する止め板と、前記下部案内板及び前記止め板の間に介在され、前記止め板を常に前記ラッチ方向に弾力的に付勢するバネとを備えることを特徴とする。
2013510251.tif 000002
【特許請求の範囲】
【請求項１】
棒３を挿入可能な貫通孔１５ａ、１５ｂが形成され、梯子１００の縦フレーム１０１に垂直方向に固定される上部案内板７及び下部案内板９と、
前記上部案内板７及び下部案内板９を梯子１００の縦フレーム１０１側に具設する垂直板１１に設けられ、前記上部案内板７及び下部案内板９と同方向に突出するラッチ１３と、
前記上部案内板７及び下部案内板９の貫通孔１５ａ、１５ｂに梯子１００の長手方向に自重によって摺動自在に結合された棒３と、
前記棒３より直径の大きい遊孔１９が形成された板状を呈し、前記下部案内板９及びラッチ１３の間に配置された後、前記遊孔１９に前記棒３が挿入され、端部が前記ラッチ１３の下部まで延長して前記梯子１００とともに前記ラッチ１３が下方に力を受けると、ラッチ１３の下面に押さえられて前記棒３を中心軸として傾斜する止め板１７と、
前記下部案内板９及び前記止め板１７の間に介在され、前記止め板１７を常に前記ラッチ１３方向に弾力的に付勢するバネ２１と
を備えることを特徴とする梯子平衡保持及び長さ可変装置。
【請求項２】
前記棒３の上端には、前記棒３が前記上部案内板７の貫通孔１５ａから滑降することを阻止する頭部５が設けられ、前記棒３の下端には、足場２３が傾斜方向に傾斜するように組立てられることを特徴とする、請求項１に記載の梯子平衡保持装置。
【請求項３】
前記垂直板１１の背面には補助板３７がさらに設けられ、前記補助板３７を梯子１００の縦フレーム１０１に組立てることを特徴とする、請求項１に記載の梯子平衡保持装置。
【請求項４】
前記止め板１７のうち、最上部の止め板の遊孔１９の外側にはヒンジ４５が形成され、前記ヒンジ４５には上方から下方に止め板１７を押すことができる取手４７が形成されることを特徴とする、請求項１に記載の梯子平衡保持装置。
【発明の詳細な説明】
【技術分野】
【０００１】
本発明は、梯子平衡保持装置に関するものであって、より詳しくは、傾斜地または階段などの平地でない所でも梯子の水平状態が保持されるように構成される梯子平衡保持装置に関する。
【背景技術】
【０００２】
梯子は、両側縦フレームの間に多数本の踏桟を横方向に形成したものであって、人が通常生活する床面よりもさらに高い位置に一時的に上がるときに使用する。
【０００３】
従来の梯子は、両側縦フレームの長さが同一であるため、縦フレームの下端を高さが一定な平地に接地させて使用するには問題はないが、傾斜地または階段で使用するにはバランスを維持することができないといった問題点があった。
【発明の概要】
【発明が解決しようとする課題】
【０００４】
前述した従来の梯子の問題点を解決するために開発された本発明は、傾斜地または階段などで常に平衡を保持しながら使用することができる梯子平衡保持装置を提供することにその目的がある。
【０００５】
本発明の他の目的は、梯子の両側縦フレームの長さを独立して容易に可変することができる梯子平衡保持装置を提供することにある。
【課題を解決するための手段】
【０００６】
前述した課題を解決しようとする本発明に係る梯子平衡保持装置は、棒を挿入可能な貫通孔が形成され、梯子の縦フレームに垂直方向に固定される上部案内板及び下部案内板と、前記上部案内板及び下部案内板を梯子の縦フレーム側に具設する垂直板に設けられ、前記上部案内板及び下部案内板と同方向に突出するラッチと、前記上部案内板及び下部案内板の貫通孔に梯子の長手方向に自重によって摺動自在に結合された棒と、前記棒より直径の大きい遊孔が形成された板状を呈し、前記下部案内板及びラッチの間に配置された後、前記遊孔に前記棒が挿入され、端部が前記ラッチの下部まで延長して前記梯子とともに前記ラッチが下方に力を受けると、ラッチの下面に押さえられて前記棒を中心軸として傾斜する止め板と、前記下部案内板及び前記止め板の間に介在され、前記止め板を常に前記ラッチ方向に弾力的に付勢するバネとを備えることを特徴とする。
【０００７】
前述した構成を有する梯子平衡保持装置は、梯子の両側縦フレームの外側面及び正面または後面に組立てて使用する場合、梯子の荷重を使用者が支えて梯子平衡保持装置に荷重をかけないと、棒は滑動する。しかしながら、梯子の水平を保持するのに必要な長さに棒を引き出した後、使用者が梯子を置いて梯子平衡保持装置に荷重をかけると、梯子の荷重が平衡保持装置のラッチに作用し、ラッチは止め板を梯子側に偏重するように加圧して、棒を中心軸として止め板が回動して梯子側に傾斜し、止め板の遊孔の下端隅角は棒の外面に止め板の回動方向の力を加えるようになるため、梯子の荷重または梯子に登った使用者の荷重に比例する圧力が止め板の遊孔の下端隅角から棒に止め板の回動方向に作用する。その結果、棒が滑動することなく止めるのである。
【発明の効果】
【０００８】
前述した構成及び作用を有する本発明によれば、極めて容易に梯子の縦フレームの長さを独立して可変することができるのみならず、可変された状態で固定させることができるため、梯子を傾斜地または階段などで常に平衡状態を保持しながら使用することができ、両側棒の長さを同じ長さに可変して固定させる場合には、平地で梯子の長さを一定の範囲内で伸長させた状態で使用することができる効果を有する。
【図面の簡単な説明】
【０００９】
【図１】本発明に係る梯子平衡保持装置の分解斜視図である。
【図２】図１に示した梯子平衡保持装置の組立斜視図である。
【図３】図２に示した梯子平衡保持装置及び梯子を分解して示す分解斜視図である。
【図４】図２に示した梯子平衡保持装置及び梯子の組立斜視図である。
【図５】本発明に係る梯子平衡保持装置の使用方法を示す使用状態図である。
【図６】本発明に係る梯子平衡保持装置の使用方法を示す使用状態図である。
【図７】本発明に係る梯子平衡保持装置に止め板解除装置をさらに備えることを示す正面図である。
【発明を実施するための形態】
【００１０】
以下、添付した図面を参照して、本発明に係る梯子平衡保持装置の好適な実施形態を詳しく説明する。
【００１１】
図１は、本発明に係る梯子平衡保持装置１の分解斜視図を、図２は、図１に示した梯子平衡保持装置１の組立斜視図を、図３は、図２に示した梯子平衡保持装置及び梯子を分解して示す分解斜視図を、図４は、図２に示した梯子平衡保持装置及び梯子の組立斜視図をそれぞれ示している。
【００１２】
本発明に係る梯子平衡保持装置１は、鋳鉄、スチール、黄銅、アルミニウムなどの金属または強度が高いエンジニアリングプラスチックで成型する。
【００１３】
図１及び図３を参照すると、本発明は、梯子１００の両側縦フレーム１０１の長さを可変させる手段として縦フレーム１０１方向に摺動自在に設けられた棒３を用い、この棒３を必要な長さだけ引き出した状態で止める手段として棒３に遊びを残して挿入し、梯子１００または使用者の荷重により梯子側に傾斜する止め板１７を使用することにその特徴がある。前記止め板１７には遊孔１９が形成され、この遊孔１９の直径を前記棒３の直径より相対的に大きく形成すると、棒３が貫通された止め板１７の梯子側に梯子１００または使用者の荷重が偏心するように作用するとき、前記棒３を中心軸とした止め板１７の回動が生じて傾斜するようになり、その結果、前記止め板１７の遊孔１９の下端梯子側隅角は前記棒３の外面に止め板の回動方向の圧力が作用し、棒３の滑動を防止する。前記遊孔１９の下端梯子側隅角は、梯子１００または使用者によりかけられる荷重に比例する圧力で前記棒３を回動方向に付勢するため、梯子に極めて大きい荷重がかかる場合であっても、前記棒３は滑ることなく止まった状態が保持される。
【００１４】
このため、本発明に係る梯子水平保持装置１は、図１及び図２に示すように、前記棒３を挿入可能な貫通孔１５ａ、１５ｂが形成され、梯子１００の縦フレーム１０１に垂直方向に固定される上部案内板７及び下部案内板９を備える。前記上部案内板７及び下部案内板９に形成された貫通孔１５ａ、１５ｂは、棒を連続して通過できるように並設され、その大きさは棒が滑動できる大きさである。前記上部案内板７及び下部案内板９は、別個に形成して梯子１００の縦フレーム１０１に付設してもよいが、図１及び図２に示すように、その梯子側の側端を垂直板１１に具設して、上部案内板７、下部案内板９、及び垂直板１１を一体として設けることが好ましい。前記垂直板１１には、前記上部案内板７及び下部案内板９の進行方向にやや突出したラッチ１３が設けられる。前記上部案内板７、下部案内板９、及びラッチ１３は、垂直板１１に固定されているので、垂直板が可動すると同時に可動する。
【００１５】
前記上部案内板７及び下部案内板９の貫通孔１５ａ、１５ｂには、棒３が梯子１００の長手方向に自重によって摺動自在に結合される。前記棒３の上端には、前記棒３が前記上部案内板７の貫通孔１５ａから滑落することを阻止する頭部５が設けられる。
【００１６】
前記止め板１７は、前記棒３より直径の大きい遊孔１９が形成された板状を呈し、前記下部案内板９及びラッチ１３の間に配置された後、その遊孔１９に前記棒３が挿入され、棒３とともに組立てられる。前記止め板１７は、ラッチ側の端部が前記ラッチ１３の下部まで延長して前記梯子１００とともに前記ラッチ１３が下方に力を受けると、ラッチ１３の下面に押さえられ、前記棒３を中心軸として傾斜する。図には前記止め板１７の数が３つである場合を例示したが、止め板の数は１つであってもよく、必要に応じて２つまたは４つ以上積層してもよいが、２つないし６つを積層することが好ましい。
【００１７】
前記止め板１７の下部には、前記止め板１７をラッチ１３方向に付勢することができるバネ２１がともに組立てられる。前記バネ２１は、前記下部案内板９及び前記止め板１７の間に介在され、前記止め板１７を常に前記ラッチ１３方向に弾力的に付勢する。前記バネ２１により前記止め板１７は常に前記ラッチ１３と密接している。
【００１８】
前記棒３の下端には足場２３が傾斜方向に傾けられるように組立てられる。前記足場２３が傾斜方向に傾けられるようにするために、図１及び図５に示すように、前記足場２３の上端には凹状のボールシート(ball seat)が設けられ、前記ボールシート２５の上部にはネジ孔３５が形成されたカバー３３が接合され、前記ボールシート２５及びカバー３３の間にはボールヘッドボルト２７のボール２９が挿入される。ボールヘッドボルト２７のネジは、前記カバー３３のネジ孔３５を介し外部に導き出し前記棒３の下端に締め付ける。このため、前記棒３の下端にはタップ(未図示)が形成される。
【００１９】
本発明に係る梯子平衡保持装置１は、前記垂直板１１にボルト孔を形成してボルト４１及びナット４３を用いて梯子１００の縦フレーム１０１に締め付けてもよいが、図３及び図４に示すように、前記垂直板１１の背面に補助板３７をさらに設け、前記補助板にボルト孔３９を形成した後、ボルト４１及びナット４３を用いて梯子１００の縦フレーム１０１に組立てることが好ましい。
【００２０】
本発明に係る梯子平衡保持装置１が梯子１００に組立てられると、前記補助板３７、垂直板１１、上部案内板７、下部案内板９、及びラッチ１３は一体に固定され、常に同じ変位だけ移動し、梯子１００または梯子に登った使用者の荷重はそのまま前記ラッチ１３に伝達される。
【００２１】
図５及び図６は、本発明に係る梯子平衡保持装置を階段部１０７ａ、１０７ｂで使用する方法を示す使用状態図である。
【００２２】
図５は、梯子を使用者が持ち上げて、前記棒３が最も低い位置まで摺動され、前記止め板１７には荷重が作用しない状態を示す。この状態で梯子を支え続けながら、先ず左側棒３の足場２３をより高い階段部１０７ａに接触させ、次いで右側棒３をより低い階段部１０７ｂに接触させて使用者が梯子を置くと、図６のように、前記ラッチ１３によって梯子の荷重が前記止め板１７に作用し、止め板１７は、梯子側に偏重した荷重の作用により前記棒３を中心軸として回動しながら傾斜するようになり、止め板１７の遊孔１９の下端梯子側隅角Ｍは、棒の表面を止め板の回動方向に強く加圧される。実際、前記遊孔１９の下端梯子側隅角は棒の表面に僅かながら食い込む。従って、棒はこの状態で滑動することなく静止し、梯子に人が登る場合、遊孔１９の下端梯子側隅角が棒の表面により強く食い込むため、棒３は強固に静止されるのである。
【００２３】
図７は、本発明に係る梯子平衡保持装置１に止め板１７解除装置をさらに備えることを示す正面図である。
【００２４】
図７に示すように、前記止め板１７のうち、最上部の止め板の遊孔の外側にはヒンジ４５が形成され、前記ヒンジ４５には上方から下方に止め板１７を押すことができる取っ手４７が形成され、棒の長さを調整する過程で誤って荷重がかかって止め板１７が棒を加圧した場合、これを容易に解除することができる。このとき、最上部の止め板は、外方にさらに延出するように形成することが好ましい。前記上部案内板７もやや外方に延出するように形成し、ここに前記取手４７が挿入される取手支持溝４９をさらに形成して、ここに取手を貫設することが好ましい。
【００２５】
図には、本発明に係る梯子水平保持装置を梯子縦フレームの下部に設けた場合を例示的に示して説明したが、梯子縦フレームの上部の支持面が階段式または傾斜した場合には、本発明に係る梯子水平保持装置を梯子縦フレームの上部に足場２３が上方を向くように設けることができる。また、図には本発明に係る梯子水平保持装置を一字状の梯子に設けた場合を例示的に示して説明したが、本発明に係る梯子水平保持装置は∧状の梯子にもそのまま適用することができる。
【産業上の利用可能性】
【００２６】
本発明によれば、このように、非常に容易に梯子の縦フレームの長さを独立して可変することができるのみならず、可変された状態で固定させることができるため、梯子を傾斜地または階段などで常に平衡状態を保持しながら使用することができ、両側棒の長さを同じ長さだけ可変して固定させる場合には、平地で梯子の長さを一定の範囲内で延伸させた状態で使用することができる。
【符号の説明】
【００２７】
１: 梯子平衡保持装置
３: 棒
５: 頭部
７: 上部案内板
９: 下部案内板
１１: 垂直板
１３: ラッチ
１５ａ、１５ｂ: 貫通孔
１７: 止め板
１９: 遊孔
２１: バネ
２３: 足場
２５: ボールシート
２７: ボールヘッドボルト
２９: ボール
３１: ネジ
３３: カバー
３５: ネジ孔
３７: 補助板
３９: ボルト孔
４１: ボルト
４３: ナット
４５: ヒンジ
４７: 取手
４９: 取手支持溝
１００: 梯子
１０１: 縦フレーム
１０３: 踏桟
１０５: ボルト孔
【図１】
2013510251.tif 000003
【図２】
2013510251.tif 000004
【図３】
2013510251.tif 000005
【図４】
2013510251.tif 000006
【図５】
2013510251.tif 000007
【図６】
2013510251.tif 000008
【図７】
2013510251.tif 000009
【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
棒３を挿入可能な貫通孔１５ａ、１５ｂが形成され、梯子１００の縦フレーム１０１に垂直方向に固定される上部案内板７及び下部案内板９と、
前記上部案内板７及び下部案内板９を梯子１００の縦フレーム１０１側に具設する垂直板１１に設けられ、前記上部案内板７及び下部案内板９と同方向に突出するラッチ１３と、
前記上部案内板７及び下部案内板９の貫通孔１５ａ、１５ｂに梯子１００の長手方向に自重によって摺動自在に結合された棒３と、
前記棒３より直径の大きい遊孔１９が形成された板状を呈し、前記下部案内板９及びラッチ１３の間に配置された後、前記遊孔１９に前記棒３が挿入され、端部が前記ラッチ１３の下部まで延長して前記梯子１００とともに前記ラッチ１３が下方に力を受けると、ラッチ１３の下面に押さえられて前記棒３を中心軸として傾斜する止め板１７と、
前記下部案内板９及び前記止め板１７の間に介在され、前記止め板１７を常に前記ラッチ１３方向に弾力的に付勢するバネ２１とを備え、
前記止め板１７は、ラッチ側の端部を反対側の端部よりもさらに延長して、前記棒３を中心軸としてラッチ側に止め板１７の重量を偏重させることを特徴とする梯子平衡保持装置。
【請求項２】
前記棒３の上端には、前記棒３が前記上部案内板７の貫通孔１５ａから滑降することを阻止する頭部５が設けられ、前記棒３の下端には、足場２３が傾斜方向に傾斜するように組立てられることを特徴とする、請求項１に記載の梯子平衡保持装置。
【請求項３】
前記垂直板１１の背面には補助板３７がさらに設けられ、前記補助板３７を梯子１００の縦フレーム１０１に組立てることを特徴とする、請求項１に記載の梯子平衡保持装置。
【請求項４】
前記止め板１７のうち、最上部の止め板は下部の他の止め板よりもさらに外側に延長するように形成し、最上部の止め板の遊孔１９の外側にはヒンジ４５が形成され、前記ヒンジ４５には上方から下方に止め板１７を押すことができる取手４７が形成されることを特徴とする、請求項１に記載の梯子平衡保持装置。
【国際調査報告】
2013510251.tif 000010
2013510251.tif 000011
2013510251.tif 000012
2013510251.tif 000013